(57)【要約】  【課題】現在の保冷庫おいて、貯蔵庫改造することなく、貯蔵庫扉の半開き状態を検知し、半開きによる結露や不冷を防止し、ユーザーに異常を告知できる保冷庫を提供する。  【解決手段】貯蔵庫１０１と、貯蔵庫１０１を冷却する冷却ユニット１０４と、からなり、貯蔵庫１０１は、貯蔵庫扉１０３を備え、冷却ユニット１０４は、貯蔵庫１０１の温度検出する赤外線式庫内温度センサ１２と、貯蔵庫１０１が設置されている温度を検出する赤外線式外気温センサ１０５と、貯蔵庫１０１内の温度を制御する制御装置１１０と、異常状態を告知する異常連絡手段１０２と、を備え、赤外線式外気温センサ１０５と赤外線式庫内温度センサ１２の信号から制御装置１１０で検出を行い、冷却ユニット１０４で応急運転を行い、異常連絡手段１０２によって、貯蔵庫扉１０３の半開き状態を告知する。【選択図】図１
2008138961.tif 000002
【特許請求の範囲】
【請求項１】
貯蔵庫と、前記貯蔵庫を冷却する冷却ユニットと、異常状態を告知する異常連絡手段と、からなり、前記貯蔵庫は、貯蔵庫扉を備え、前記冷却ユニットは、前記貯蔵庫内の温度検出する赤外線式庫内温度センサと、前記貯蔵庫が設置されている温度を検出する赤外線式外気温センサと、前記貯蔵庫内の温度を制御する制御装置と、前記貯蔵庫内を冷すために使われる冷却器と冷却器用送風機と圧縮機と放熱器と放熱器用送風機と、を備え、前記貯蔵庫の扉が開いているときに、冷却ユニットを停止することを特徴とする保冷庫。
【請求項２】
前記貯蔵庫の扉が開いているときに、前記冷却器用送風機を運転させた請求項１に記載の保冷庫。
【請求項３】
前記貯蔵庫の扉が開いているときに、前記冷却器用送風機を回転数制御させた請求項１に記載の保冷庫。
【請求項４】
前記赤外線式庫内温度センサと前記赤外線式外気温センサとを、１つの赤外線式温度センサで貯蔵庫内外の温度を検出した請求項１から３のいずれか一項に記載の保冷庫。
【請求項５】
前記異常連絡手段は、音によって告知する請求項１から４のいずれか一項に記載の保冷庫。
【請求項６】
前記異常連絡手段は、目視によって告知する請求項１から５のいずれか一項に記載の保冷庫。
【発明の詳細な説明】
【技術分野】
【０００１】
本発明は、米穀類などを収納、貯蔵するのに用いる保冷庫に関するものである。
【背景技術】
【０００２】
従来、この種の米穀類などを収納、貯蔵するのに用いる保冷庫は、貯蔵庫の上に冷却ユニットを設置しているものが知られている。貯蔵庫の庫内温度制御は、冷却ユニットに配備した冷媒回路と制御装置で行っている。また、貯蔵庫扉は、マグネットパッキンが取付けられ、冷却ユニットからの冷気が洩れない構造を採用している（例えば、特許文献１参照）。
【０００３】
図６は、特許文献１に記載された従来の冷却ユニットを搭載している保冷庫の斜視図である。図７は、特許文献１に記載された従来の保冷庫に搭載されている冷却ユニットの構成図である。図８は、貯蔵庫扉が閉まっているときの庫内温度の挙動と圧縮機の制御動作図である。図９は、外気温が圧縮機動作温度より高い温度の時の貯蔵庫扉が半開き時の庫内温度の挙動と圧縮機の制御動作図である。図１０は、外気温が圧縮機動作温度近傍の時の貯蔵庫扉が半開き時の庫内温度の挙動と圧縮機の制御動作図である。
【０００４】
図６、図７に示すように、保冷庫１は、貯蔵庫２と、冷却ユニット３とから構成されている。貯蔵庫２には貯蔵庫扉４が設けられ、貯蔵庫扉４には、冷気漏れを防止するマグネットパッキン（図示せず）が装着されている。
【０００５】
冷却ユニット３は、圧縮機６と、凝縮器７と、凝縮器用送風機８と、キャピラリチューブ９と、蒸発器１０と、蒸発器用送風機１１と、庫内温度センサ１２と、制御装置１３と、から構成されている。
【０００６】
以上のように構成された従来の保冷庫に搭載している冷却ユニットの動作を説明する。
【０００７】
まず、貯蔵庫２内の庫内温度を庫内温度センサ１２で検知し、冷却ユニット３内に装備されている制御装置１３から、圧縮機６、凝縮器用送風機８、蒸発器用送風機１１に電気信号を送って、各庫内の設定温度になるように制御する方法が採用されている。
【特許文献１】特開２００２−２７７１３９号公報
【発明の開示】
【発明が解決しようとする課題】
【０００８】
しかしながら、上記従来の構成では、貯蔵庫扉の開いた状態が継続的に続くと貯蔵庫内に貯蔵庫外の空気が入り結露や不冷になる、という課題を有していた。
【０００９】
本発明は、上記従来の課題を解決するもので、貯蔵庫扉の半開き状態が継続的に続いても貯蔵庫内の結露や不冷を防止し、異常連絡手段によって、ユーザーに告知する保冷庫を提供することを目的とする。
【課題を解決するための手段】
【００１０】
上記従来の課題を解決するために、貯蔵庫と、前記貯蔵庫を冷却する冷却ユニットと、異常状態を告知する異常連絡手段と、からなり、前記貯蔵庫は、貯蔵庫扉を備え、前記冷却ユニットは、前記貯蔵庫の温度検出する赤外線式庫内温度センサと、前記貯蔵庫が設置されている温度を検出する赤外線式外気温センサと、前記貯蔵庫内の温度を制御する制御装置と、前記貯蔵庫内を冷すために使われる冷却器と冷却器用送風機と圧縮機と放熱器と放熱器用送風機と、を備え、前記貯蔵庫の扉が開いているときに、冷却ユニットを停止するものである。
【００１１】
これによって、貯蔵庫内の結露を抑制し、不冷状態を防止し、異常連絡手段によってユーザーに告知することができる。
【発明の効果】
【００１２】
本発明の保冷庫は、現状の保冷庫等の貯蔵庫などに容易に設置施工ができ、貯蔵庫を改造することなく貯蔵庫の扉が開いているときに、貯蔵庫内の結露を抑制し、不冷状態を防止することによって、農作物の結露水による品質劣化を防止できるとともに、異常連絡手段によって容易にユーザーに告知することができる。
【発明を実施するための最良の形態】
【００１３】
請求項１に記載の発明は、貯蔵庫と、前記貯蔵庫を冷却する冷却ユニットと、異常状態を告知する異常連絡手段と、からなり、前記貯蔵庫は、貯蔵庫扉を備え、前記冷却ユニットは、前記貯蔵庫内の温度検出する赤外線式庫内温度センサと、前記貯蔵庫が設置されている温度を検出する赤外線式外気温センサと、前記貯蔵庫内の温度を制御する制御装置と、前記貯蔵庫内を冷すために使われる冷却器と冷却器用送風機と圧縮機と放熱器と放熱器用送風機と、を備え、前記貯蔵庫の扉が開いているときに、冷却ユニットを停止することにより、貯蔵庫内の結露を防止でき、異常連絡手段によって容易にユーザーに告知することができる。
【００１４】
請求項２に記載の発明は、請求項１に記載の発明において、前記貯蔵庫の扉が開いているときに、前記冷却器用送風機を運転させたことにより、貯蔵庫内の結露を防止できるとともに不冷防止ができ、農作物の品質劣化を防止できる。
【００１５】
請求項３に記載の発明は、請求項１に記載の発明において、前記貯蔵庫の扉が開いているときに、前記冷却器用送風機を回転数制御させたことにより、貯蔵庫内の結露を防止できるとともに不冷防止ができ、農作物の品質劣化を防止でき、軽負荷で省エネができる。
【００１６】
請求項４に記載の発明は、請求項１から３のいずれか一項に記載の発明において、前記赤外線式庫内温度センサと前記赤外線式外気温センサとを、１つの赤外線式温度センサで貯蔵庫内外の温度を検出したことにより、貯蔵庫の扉が開いている状況を正確に把握することができ、過剰な告知を防止できる。
【００１７】
請求項５に記載の発明は、請求項１から４のいずれか一項に記載の発明において、前記異常連絡手段は、音によって告知することにより、確実にユーザーに知らせることができる。
【００１８】
請求項６に記載の発明は、請求項１から５のいずれか一項に記載の発明において、前記異常連絡手段は、目視によって告知することにより、確実にユーザーに知らせることができる。
【００１９】
以下、本発明の実施の形態について、図面を参照しながら説明するが、従来例または先に説明した実施の形態と同一構成については、同一符号を付して、その詳細な説明は省略する。なお、この実施形態によってこの発明が限定されるものではない。
【００２０】
（実施の形態１）
図１は、本発明の実施の形態１における保冷庫の斜視図である。図２は、同実施の形態における冷却ユニットの構成図である。図３は、同実施の形態における保冷庫の外気温と冷却ユニットの運転率の関係を表す特性図である。図４は、同実施の形態における庫内温度と冷却ユニットの動作挙動を表す特性図である。
【００２１】
図１において、保冷庫１は、貯蔵庫１０１と、貯蔵庫の前面に位置する貯蔵庫扉１０３と、貯蔵庫１０１の上面に配置された冷却ユニット１０４と、からなり、貯蔵庫扉１０３に設けられた庫内温度表示を行う表示機は、貯蔵庫扉１０３の半開き状態を検出し、異常連絡手段１０２として兼用して使用したものであり、冷却ユニット１０４は、保冷庫１が設置されている外気温度を検出する赤外線式外気温センサ１０５を有している。
【００２２】
図２において、冷却ユニット１０４は、赤外線式庫内温度センサ１２と、冷却ユニット１０４の外装に設置した赤外線式外気温センサ１０５と、赤外線式庫内温度センサ１２を介して、冷却ユニット１０４の運転挙動を監視して制御する制御装置１１０と、を備えている。
【００２３】
図３においては、横軸に外気温を、縦軸に冷却ユニット１０４の運転率を表している。
【００２４】
図３において、実線は、貯蔵庫扉１０３が閉じられている時の外気温と冷却ユニット１０４の運転率を、破線は、貯蔵庫扉１０３の半開き時の外気温と冷却ユニット１０４の運転率、一点鎖線は、貯蔵庫扉１０３の半開きかどうか判別するための閾値を表わしている。
【００２５】
図３の貯蔵庫扉が閉じられている時と、半開き時の外気温と冷却ユニット１０４の運転率の関係から、外気温が圧縮機動作温度近傍の温度時においても、冷却ユニット１０４の運転挙動を監視して制御する制御装置１１０内に各温度における貯蔵庫扉が閉じられている時と、半開き時の区別をするために、閾値を設けて貯蔵庫扉１０３の半開き状態を区別する。
【００２６】
図４の庫内温度と冷却ユニット１０４の動作挙動のように、冷却ユニット１０４の除霜終了後に一定の判断時間で貯蔵庫扉１０３の半開き状態であると制御装置１１０が判断した場合、５分から１５分間冷却ユニット１０４を停止し、その後貯蔵庫１０１内にできた結露を乾燥させる為に、５分から１５分間冷却ユニット１０４の運転を再開する。この動作を貯蔵庫１０１内の結露発生を抑制するために、繰返して行うことによって、貯蔵庫１０１内に収納している農作物の品質劣化を抑制できる。
【００２７】
制御装置１１０から貯蔵庫扉１０３に庫内温度表示を行う表示機を異常連絡手段１０２として、温度表示機を異常表示することによって、ユーザーに告知することができる。
【００２８】
また、冷却ユニット１０４の運転を再開する場合、冷却器用送風機１１１だけを運転させることにより貯蔵庫内の結露を防止できるとともに不冷防止ができ、農作物の品質劣化を防止できる。
【００２９】
また、冷却器用送風機１１１だけを回転数制御させた場合、貯蔵庫１０１内の結露を防止できるとともに不冷防止ができ、農作物の品質劣化を防止でき、軽負荷で省エネができる。
【００３０】
また、異常連絡手段１０２として、ブザー音などによって、ユーザーに確実に告知することができる。
【００３１】
（実施の形態２）
次に、本発明の実施の形態２に係る保冷庫１について、図５を参照して説明する。
【００３２】
図５は、保冷庫１が置かれている外気温を検出する赤外線式外気温センサ１０５と貯蔵庫内の温度検出する赤外線式庫内温度センサ１２とを一つの赤外線式温度センサ１０６で検出できるようにした保冷庫１の一例である。
【００３３】
図５では、貯蔵庫扉１０３が閉じているときに赤外線式温度センサ１０６で貯蔵庫１０１内の庫内温度を検出し、貯蔵庫扉１０３が開いているときに赤外線式温度センサ１０６で貯蔵庫１０１が置かれている温度も検出できるような位置に赤外線式温度センサ１０６を設置している。
【００３４】
上記のような場合において、貯蔵庫扉１０３が開いている時に、赤外線式温度センサ１０６で、貯蔵庫１０１の庫内温度及び貯蔵庫１０１の設置温度の変化を把握し、貯蔵物を人が出し入れ作業の有無を制御装置１１０で判断することにより、異常連絡手段１０２としての異常表示やブザー音などの過剰な告知を防止できる。
【産業上の利用可能性】
【００３５】
以上のように、本発明にかかる保冷庫は、ショーケース、業務用冷蔵庫等の用途にも適用できる。
【図面の簡単な説明】
【００３６】
【図１】本発明の実施の形態１における保冷庫の斜視図
【図２】同実施の形態における冷却ユニットの構成図
【図３】同実施の形態における保冷庫の外気温と冷却ユニットの運転率の関係を表す特性図
【図４】同実施の形態における庫内温度と冷却ユニットの動作挙動を表す特性図
【図５】本発明の実施の形態２における保冷庫の斜視図
【図６】従来の冷却ユニットを搭載している保冷庫の斜視図
【図７】従来の保冷庫に搭載されている冷却ユニットの構成図
【図８】貯蔵庫扉が閉まっているときの庫内温度の挙動と圧縮機の制御動作図
【図９】外気温が圧縮機動作温度より高い温度の時の貯蔵庫扉が半開き時の庫内温度の挙動と圧縮機の制御動作図
【図１０】外気温が圧縮機動作温度近傍の時の貯蔵庫扉が半開き時の庫内温度の挙動と圧縮機の制御動作図
【符号の説明】
【００３７】
１    保冷庫
１２  赤外線式庫内温度センサ
１０１  貯蔵庫
１０２  異常連絡手段
１０３  貯蔵庫扉
１０４  冷却ユニット
１０５  赤外線式外気温センサ
１０６  赤外線式温度センサ
１１０  制御装置
１１１  冷却器用送風機
【図１】
2008138961.tif 000003
【図２】
2008138961.tif 000004
【図３】
2008138961.tif 000005
【図４】
2008138961.tif 000006
【図５】
2008138961.tif 000007
【図６】
2008138961.tif 000008
【図７】
2008138961.tif 000009
【図８】
2008138961.tif 000010
【図９】
2008138961.tif 000011
【図１０】
2008138961.tif 000012